(57)【特許請求の範囲】
【請求項１】
番組信号を伝送するネットワークに接続されて番組信号を入出力する各周辺機器に向け
てＳＣＰが、前記番組信号の入出力を制御するための制御信号を出力することにより番組
時刻表のスケジュールに従って自動的に前記番組信号が送出されるＡＰＣ（自動番組送出
設備）のＡＰＣイベント表示システムにおいて、
番組時刻表のスケジュールを参照し、前記番組信号を送出する１つの動作シーケンスで
あるイベントを制御する様に前記周辺装置の送信先アドレスおよび当該周辺機器の動作を
指定するコマンドと前記イベントの動作時刻とを含む制御データを生成して前記制御信号
としてＬＡＮへ出力するＳＣＰと、
前記出力される制御信号を伝送するＬＡＮと、前記周辺機器毎に備えられるとともに前
記ＬＡＮに接続され、前記ＬＡＮを介して前記ＳＣＰから入力される前記制御信号に従っ
て当該周辺機器が実行する前記イベントの動作を制御するＲＴＰと、
前記ＬＡＮに接続され、前記ＳＣＰが各前記周辺機器に備えられる各前記ＲＴＰへ前
記ＬＡＮを介して出力する前記制御信号をモニタして前記制御データを抽出するイベント
抽出手段と、
前記抽出した制御データを判読し、前記イベントに関わる前記周辺機器の動作を前記
動作時刻に従って時系列に並べたテーブルに編集して記憶する編集手段と、
前記編集されたテーブルを表示する表示手段とを備える
ＡＰＣイベント表示装置とを
具備することを特徴とするＡＰＣイベント表示システム。
【請求項２】
前記ＡＰＣイベント表示装置は、
更に、前記記憶した制御データを読み出し編集して前記表示手段へ表示させる表示コマン
ドを入力する表示コマンド入力手段を備え、
前記入力される表示コマンドに対応した前記動作を指定するコマンドに関わるイベントに
編集して表示することを特徴とする請求項１記載のＡＰＣイベント表示システム。
【請求項３】
ＳＣＰと、ＬＡＮと、ＲＴＰと、ＡＰＣイベント表示装置とを備え、
番組信号を伝送するネットワークに接続されて番組信号を入出力する各周辺機器に向けて
前記ＳＣＰが、前記番組信号の入出力を制御するための制御信号を出力することにより番
組時刻表のスケジュールに従って自動的に前記番組信号が送出されるＡＰＣ（自動番組送
出設備）のＡＰＣイベント表示システムのＡＰＣイベント表示方法において、
前記ＳＣＰは、
番組時刻表のスケジュールを参照し、前記番組信号を送出する１つの動作シーケンスで
あるイベントを制御する様に前記周辺装置の送信先アドレスおよび当該周辺機器の動作を
指定するコマンドと前記イベントの動作時刻とを含む制御データを生成して前記制御信号
としてＬＡＮへ出力し、
前記制御信号を入力されるＬＡＮは、前記ＳＣＰと前記ＲＴＰとの間で前記制御信号を
伝送し、
前記ＲＴＰは、
前記周辺機器毎に備えられるとともに前記ＬＡＮに接続され、前記ＬＡＮを介して前記
ＳＣＰから入力される前記制御信号に従って当該周辺機器が実行する前記イベントの動作
を制御し、
ＡＰＣイベント表示装置は、
前記ＬＡＮに接続され、前記ＳＣＰから各前記ＲＴＰへ出力する前記制御信号をモニタし
て前記制御データを抽出し、
前記抽出した制御データを判読して前記動作時刻に従って前記イベントの動作データを
時系列に並べたテーブルに編集して記憶し、
前記編集されたテーブルを表示する
ことを特徴とするＡＰＣイベント表示システムのＡＰＣイベント表示制御方法。
【発明の詳細な説明】
【技術分野】
【０００１】
本発明は、放送局のＡＰＣ（自動番組送出制御設備）が制御する番組のイベント表示を
行うＡＰＣイベント表示システム、およびＡＰＣイベント表示制御方法に関する。
【背景技術】
【０００２】
放送局では、時刻表に従いオンエアする番組信号（以下、送出素材と称する。）を入出力する複数の機器間の接続、および動作の開始又は停止を制御して送信器から番組を放送している。放送の開始、番組切替等を精確なタイミングで行うため、ＶＴＲ始め文字多重装置など各種の機器を制御コントローラで並列制御している。（例えば、特許文献１。）。この様な番組放送を制御するシステムは、ＡＰＣ（自動番組送出制御設備）と呼ばれる。
【０００３】
図１１は、従来の放送局のＡＰＣが制御する機器系統の構成図である。  
図１１において、ＡＰＣ１０は、ＳＣＰ（Ｓｃｈｅｄｕｌｅ  Ｃｏｎｔｒｏｌｌ  Ｐｒｏｃｅｓｓｏｒ）２０と、ＲＴＰ（Ｒｅａｌ  Ｔｉｍｅ  Ｐｒｏｃｅｓｓｏｒ）４０（＃１〜＃ｎ）とを備えて周辺機器６０を制御する。即ち、番組の送信スケジュールである番組編成情報を管理するＳＣＰ２０が出力する制御信号を制御コントローラであるＲＴＰ４０が受信し、それぞれのＲＴＰ４０（＃１〜＃ｎ）は、自装置に接続されるＶＴＲおよびスイッチャ等の周辺機器６０の動作制御を行っている。この動作制御に従って実行される１つのシーケンス（動作）がイベントとして扱われる。
【０００４】
例えば、所定の時刻にスイッチャとネットワークを介してＶＴＲと字幕送出装置が接続され、ＶＴＲから出力された送出素材である映像信号に字幕送出装置から出力された同じく送出素材の字幕データを重畳した放送信号が送信器からオンエアされることがイベントとして扱われる。
【０００５】
番組編成情報は、番組単位でオンエア時刻、送出素材名等が設定された複数のイベントで構成されており、そのイベントを実行する周辺機器６０の動作を当該ＲＴＰ４０が制御している。各ＲＴＰ４０は、自装置に接続される周辺機器６０を制御すると共に、その制御内容を表示するディスプレイＤＵを備えており、各ＲＴＰ４０が処理するイベントをディスプレイＤＵの画面上に表示している。
【０００６】
放送のデジタル化に伴い、ＡＰＣが制御する機器数が増えるに連れてイベント数も増加している。その結果、例えば、オンエアに使用する機器を選択するためにＡＰＣのオペレータが各機器の使用スケジュール、即ちイベント全体を把握するためには、各ＲＴＰ４０から表示信号を分枝して収集しなければならない。更に、各ＲＴＰからイベント情報を収集しても、また各ＲＴＰ４０が処理するイベントを時系列に整理して同一画面で表示出来ない。また、ＲＴＰ４０自体も機器の動作制御を行う機器であるので表示制御能力は十分でなく表示イベント項目数も制限される。以上の如く、従来のＡＰＣでは、イベント表示数が少なく、各ＲＴＰが処理するイベントを統合表示できない問題が有った。
【特許文献１】特許第２５４７９０３号公報  （第３頁、第１図）
【発明の開示】
【発明が解決しようとする課題】
【０００７】
従来のＡＰＣのイベント表示は、表示イベント数が少なく制限され、またＡＰＣが制御する各周辺機器に対するイベントをまとめて時系列に表示できない等、ＡＰＣイベントを統合表示出来ない問題があった。
【０００８】
本発明は上記問題を解決するためになされたもので、ＡＰＣが制御する各周辺機器に対
するイベントを時系列に統合表示出来るＡＰＣイベント表示システム、およびそのイベン
ト表示制御方法を提供することを目的とする。
【課題を解決するための手段】
【０００９】
上記目的を達成するために、本発明のＡＰＣイベント表示システムは、番組信号を伝送
するネットワークに接続されて番組信号を入出力する各周辺機器に向けてＳＣＰが、前記
番組信号の入出力を制御するための制御信号を出力することにより番組時刻表のスケジュ
ールに従って自動的に前記番組信号が送出されるＡＰＣ（自動番組送出設備）のＡＰＣイ
ベント表示システムにおいて、番組時刻表のスケジュールを参照し、前記番組信号を送出
する１つの動作シーケンスであるイベントを制御する様に前記周辺装置の送信先アドレス
および当該周辺機器の動作を指定するコマンドと前記イベントの動作時刻とを含む制御デ
ータを生成して前記制御信号としてＬＡＮへ出力するＳＣＰと、前記出力される制御信号
を伝送するＬＡＮと、前記周辺機器毎に備えられるとともに前記ＬＡＮに接続され、前記
ＬＡＮを介して前記ＳＣＰから入力される前記制御信号に従って当該周辺機器が実行する
前記イベントの動作を制御するＲＴＰと、前記ＬＡＮに接続され、前記ＳＣＰが各前記周
辺機器に備えられる各前記ＲＴＰへ前記ＬＡＮを介して出力する前記制御信号をモニタし
て前記制御データを抽出するイベント抽出手段と、前記抽出した制御データを判読し、前
記イベントに関わる前記周辺機器の動作を前記動作時刻に従って時系列に並べたテーブル
に編集して記憶する編集手段と、前記編集されたテーブルを表示する表示手段とを備える
ＡＰＣイベント表示装置とを具備することを特徴とする。
【００１０】
また、本発明のＡＰＣイベント表示システムのＡＰＣイベント表示制御方法は、ＳＣＰ
と、ＬＡＮと、ＲＴＰと、ＡＰＣイベント表示装置とを備え、番組信号を伝送するネット
ワークに接続されて番組信号を入出力する各周辺機器に向けて前記ＳＣＰが、前記番組信
号の入出力を制御するための制御信号を出力することにより番組時刻表のスケジュールに
従って自動的に前記番組信号が送出されるＡＰＣ（自動番組送出設備）のＡＰＣイベント
表示システムのＡＰＣイベント表示方法において、前記ＳＣＰは、番組時刻表のスケジュ
ールを参照し、前記番組信号を送出する１つの動作シーケンスであるイベントを制御する
様に前記周辺装置の送信先アドレスおよび当該周辺機器の動作を指定するコマンドと前記
イベントの動作時刻とを含む制御データを生成して前記制御信号としてＬＡＮへ出力し、
前記制御信号を入力されるＬＡＮは、前記ＳＣＰと前記ＲＴＰとの間で前記制御信号を伝
送し、前記ＲＴＰは、前記周辺機器毎に備えられるとともに前記ＬＡＮに接続され、前記
ＬＡＮを介して前記ＳＣＰから入力される前記制御信号に従って当該周辺機器が実行する
前記イベントの動作を制御し、ＡＰＣイベント表示装置は、前記ＬＡＮに接続され、前記
ＳＣＰから各前記ＲＴＰへ出力する前記制御信号をモニタして前記制御データを抽出し、
前記抽出した制御データを判読して前記動作時刻に従って前記イベントの動作データを時
系列に並べたテーブルに編集して記憶し、前記編集されたテーブルを表示することを特徴
とする。
【発明の効果】
【００１２】
本発明によれば、ＡＰＣが制御する各周辺機器に対するイベントを時系列に統合表示出
来るＡＰＣイベント表示システム、およびイベント表示制御方法を提供できる。
【発明を実施するための最良の形態】
【００１３】
以下、図面を参照して本発明の実施例を説明する。
【実施例】
【００１４】
図１は、本発明の実施例に係るＡＰＣイベント表示装置５を用いるＡＰＣ１の構成図である。  
図１においてＡＰＣ１は、ＳＣＰ２、ＲＴＰ４（＃１〜＃Ｎ）、ＡＰＣイベント表示装置５とそれらの間を接続するネットワーク（以下、ＬＡＮと称する。）３とを備える。ＡＰＣ１には、各種の外部機器６がＲＴＰ４を介して接続され、また、各周辺機器６は、さらに各周辺機器６が入出力する番組信号を伝送する番組信号伝送網７がある。外部機器６には、スイッチャが含まれ、このスイッチャを介して各外部機器６の入出力ポートが番組信号網７に接続されて番組信号が所定の周辺機器間で送受信される。
【００１５】
ＳＣＰ２は、図示されないデータサーバから入力された番組時刻表（進行表）を元に複数のイベントから構成される番組編成情報を編集し、各周辺機器６を制御する制御情報をＬＡＮ５を介して各ＲＴＰ４（＃１〜＃Ｎ）へ出力する。そして各ＲＴＰ４（＃１〜＃Ｎ）は、自装置に接続された周辺機器６を制御する。なお、図１ではＲＴＰ４と周辺機器６とは、１対１で接続されているが、１台のＲＴＰ４に複数の周辺機器６が接続されるものであっても良い。
【００１６】
ＡＰＣイベント表示装置５は、例えば、スタジオのマスター装置の一部として設置され、ＬＡＮ３を介してＳＣＰ２から各ＲＴＰ４（＃１〜＃Ｎ）に出力される制御情報をモニタしイベントを編集しディスプレイ画面に表示する。
【００１７】
図２は、ＡＰＣイベント表示装置５の機能構成を示すブロック図である。  
図２においてＡＰＣイベント表示装置５は、それぞれが内部バス等で接続された通信インタフェース（以下、Ｉ／Ｆと省略する。）５１、制御処理部（以下ＣＰＵと称する。）５２、記憶部５３、キーボード、マウス等からなる入力部５４、ディスプレイ５５を備えている。通信Ｉ／Ｆ５１は、ＬＡＮ３との間で信号を入出力し、ＳＣＰ２からＲＴＰ４へ送信された制御信号をモニタして内部バスへ出力する。このＡＰＣイベント表示装置５は、パーソナルコンピュータ等を利用したものでよい。
【００１８】
ＣＰＵ５２は、内部バスを監視して通信Ｉ／Ｆから入力された制御信号の制御データを抽出しテーブルＴにして記憶部５３へ書き込み記憶する。入力部５４は、制御データを編集するためのコマンドや、記憶部５３に記憶された制御データを編集してイベント情報としてディスプレイ５５に表示するコマンドを入力するものである。
【００１９】
図３は、データサーバから入力された番組時刻表をＡＰＣイベント表示装置５のディスプレイ５５に表示した一例、図４は、各周辺機器を接続する制御データを記憶したテーブルＴの例、図５は、図３の番組時刻表に従って図４の制御信号を編集されたイベント情報がディスプレイ５５に表示された一例である。図６は、ＡＰＣイベント表示装置５がイベント表示処理を行う動作手順の概要を示すフローチャートである。
【００２０】
以下、図２〜図６を参照してＡＰＣイベント表示装置５の動作手順を説明する。
【００２１】
ＡＰＣ１は、例えば、放送の１日前に図３の番組時刻表に従って、ＳＣＰ２がＬＡＮ３を介してオンエアに使用予定のカメラやＶＴＲ等の周辺機器６を制御する制御信号を各ＲＴＰ４へ送信している。
【００２２】
図３は、デジタルテレビ放送の番組時刻表の一例で、「１０：００」からニュースが放送され、最初の５分間はアナウンサがニュースを読み上げるスタジオカメラの映像信号が送信され、「１０：０５」になると、ＶＴＲ映像に文字案内が重畳された映像の現地リポートが放送されるスケジュールなどが記載されている。
【００２３】
図４は、「１０：００」から「１０：０５」にかけてＳＣＰ２が送信する制御信号の制御データのテーブルで、「１０：００」には、カメラの映像信号を送信機へ出力するためにカメラの出力ポート「ＣＡＭｏ」から出力される信号をスイッチャ「ＳＷ」と番組信号伝送網７とを介して送信機の入力ポート「ＴＸｉ」へ接続するコマンド「ＣＮ」が、「ＣＮ：ＣＡＭｏ＞ＴＸｉ」と記述されている。
【００２４】
また、「１０：０３」には、「１０：０５」からの現地リポートに備えＶＴＲの映像を放送する再生ＶＴＲ１号機「ＰＶ＃１」と文字データを出力する字幕データサーバ「ＣＳ」と映像信号に文字データを重畳する字幕送出装置Ｍ号機「ＤＴ＃Ｍ」へ接続コマンドが送信されスタンバイすることなどが図４に記述され、これらの制御データは、時系列で記憶部５３のテーブルＴに記憶されている。
【００２５】
さて、ＡＰＣイベント表示装置５の通信Ｉ／Ｆ５１は、ＬＡＮ３をモニタしＳＣＰ２が介して各ＲＴＰ４へ送信している制御信号を取得して（図６のステップｓ１）内部バスへ出力する。この制御信号は、ヘッダに続き、例えば、［ＣＡＭ＆ＴＸ＆ＳＷ／ＣＮ：ＣＡＭｏ＞ＴＸｉ／１０：００／ニュース・コーナー］の制御データが送信される。そして、送信先アドレスとして「ＣＡＭ＆ＴＸ＆ＳＷ」によりカメラ、送信機およびスイッチャ、動作として上記の接続コマンド「ＣＮ：ＣＡＭｏ＞ＴＸｉ」、動作時刻が「１０：００」、および番組データ名として「ニュース・コーナー」が記述されている。
【００２６】
ＣＰＵ５２は、バスを監視し、制御信号からこれらの制御データを抽出して図３のテーブルＴにして記憶部５３に書き込み記憶する（ステップｓ２）。
【００２７】
さて、放送日の朝、ニュースの構成の変更が必要になり、ＡＰＣオペレータがオンエアに使用する機材を調べるために１０時以降の送信（オンエア）のイベントを表示するコマンドを入力部５４から、例えば“１０：００／ＴＸ”の様に入力する（ステップｓ３）。
【００２８】
このコマンドをバスを介して入力されたＣＰＵ５２は、図４の制御データのテーブルＴを読み出し、オンエアイベントに関わるイベント情報を編集して図５の表示形式にしてディスプレイ５５に表示する（ステップｓ４）。
【００２９】
図５では、制御データを編集したことにより時系列で同じオンエアのイベントに関わる複数の周辺機器がリスト化され、イベント情報として表示されている。例えば、図４では、「１０：０３」にスタンバイに関わる制御が行われているが、コマンドはオンエアのイベントのみを表示するものであったので、ここではスタンバイの「１０：０３」のイベントは表示されていない。
【００３０】
一方、「１０：０５」からのオンエアについては、使用機器が「再生ＶＴＲ＃１」、およびその再生映像のコンテンツ（整理番号）が「ＸＩＮＴ００１」、文字データは、「字幕送出装置＃Ｍ」が重畳し、その重畳される文字データは、字幕データサーバから「気Ａ００５」のコンテンツを取得することが記述されている。
【００３１】
これらのコンテンツについては、図４には記述されない別のコマンドが、例えば図示されていないＶＴＲの統合制御装置および字幕データサーバに送信されているのでＣＰＵ５２は、そのコマンドの制御データを読み出してコンテンツ、ここでは「ＸＩＮＴ００１」、および、「字幕送出装置＃Ｍ」をイベント情報に記述する。
【００３２】
また、本実施例によるイベント表示は、図５の様に同じ番組について高精細「ＨＤ」、標準「ＳＤ」の様に映像の違いや、３カ国語モノラル「３Ｍ」、２カ国語ステレオ「２Ｓ」など従来ＲＴＰ４毎の制御されるイベントのみでなく、放送全体から見たサービス内容が表示されるメリットがある。
【００３３】
従来の各ＲＴＰ４でそれぞれイベントを表示する方法では、例えば、上記の図４に記載されたイベントでは再生ＶＴＲと字幕送出制御装置と字幕データサーバなど各周辺機器を制御するＲＴＰ４毎に自分が制御するイベントのみが表示される。従ってＡＰＣのオペレータは、各ＲＴＰのディスプレイＤＵの画面を監視して同じ時刻のイベントを拾い上げなければならないので作業時間がかかり、またイベントを実行する周辺機器を見落とすなどの問題があった。しかし本実施例では、同じイベントに関わる装置が時系列で表示されるので見落としが無く、かつ画面をスクロールできるようになっており大量のイベント情報を統合表示することができる。
【００３４】
図７は、ＡＰＣイベント表示装置５をサーバとクライアントで構成する場合の構成図である。  
図７において、ＡＰＣイベント表示装置５は、それぞれがパーソナルコンピュータのような情報端末によるサーバ５０と、クライアント５００（＃１〜＃ｍ）とから構成され、サーバ５０と各クライアント５００とはＬＡＮ３を介して接続されるか、もしくは、別のネットワーク３０で接続されている。サーバ５０と各クライアント５００の内部構成は図２のＡＰＣイベント表示装置５と同様である。クライアント５００は、サーバ５０と同様に統合したイベント情報を表示でき、例えば主スタジオに複数台設置して複数のＡＰＣオペレータが別のイベントを同時に検索、表示したり、主スタジオ以外の機器調整室など離れた場所に設置してイベントを検索、表示できる。
【００３５】
サーバ５０は、図６に示される動作手順を実行して、ＬＡＮ３をモニタした制御信号から抽出した制御データを記憶部５３に書き込み記憶している。またサーバ５０は、ＬＡＮ３または、ネットワーク３０を介してクライアント５００からのイベント表示に関わるコマンドを受信するとサーバ５０のＣＰＵ５２がそのコマンドに応じた制御データを記憶部５３のテーブルＴから読み出してクライアント５００に送信する制御を行う。
【００３６】
また、クライアント５００は、例えば、“１０：００／ＴＸ”の様にコマンドが入力部５４から入力されると、クライアント５００のＣＰＵ５２は通信Ｉ／Ｆ５１とＬＡＮ３を介してサーバ５０にコマンドを送信することにより、サーバ５０へ、１０：００以降の送信に係わるイベントに関わる制御データを要求する。そして、サーバ５０から返信された制御データを単独のＡＰＣイベント表示装置５と同様にイベント情報に編集してディスプレイ５５に所定のフォーマットで表示する。
【００３７】
なお、このクライアント５００で表示されるイベントデータ（情報）は、サーバ５０で編集され、サーバ５０の記憶部５３に記憶されているものが読み出されてクライアント５００に返信されるものであっても良い。そして、この編集されたイベント情報は、例えば、ＸＭＬ、又はｈｔｍｌフォーマットでイベント情報を画面表示フォーマットに編集記述して、ＴＣＰ／ＩＰ手順を実行するネットワーク３０を介してＷｅｂ形式の遠隔監視を行う様にしても良い。
【００３８】
次に、ＡＰＣイベント表示装置の応用例として、多種の放送を利用したメディアサービスに本発明を適用する場合を示す。デジタル放送サービスは、テレビ番組にＨＤ（高精細）、ＳＤ（標準）の映像種別や、音声多重、字幕重畳などのサービスを設けて放送している。そして、更にテレビのみでなく、ラジオ放送との連携や、最近は携帯電話のサーバ等を利用して文字情報サービスの提供などを行っている。また、ラジオ放送と携帯電話、またはインターネットとの連携など様々の組合せがある。
【００３９】
これらのメディアサービスは、コンテンツ、番組素材はテレビ放送やラジオ放送と共通の素材、コンテンツを用いながら、それぞれのサービスに応じて素材、コンテンツを編集して外部に出力することによって行われている。
【００４０】
図８は、複数のサービスメディアに対応するＡＰＣイベント表示装置の適用例を示す機能系統図である。  
図８において、ＡＰＣ１は、複数のスイッチャ（＃３〜＃Ｈ）に対応するＲＴＰ（＃３〜＃Ｈ）が備えられている。これらのスイッチャ（＃３〜＃Ｈ）は、サービス毎に外部機器を接続するように動作する。ＡＰＣイベント表示装置５は、ＬＡＮ３に接続されているので、これらの各スイッチャへ送信される制御信号をモニタすることにより、サービス毎に対応するイベントを表示することが出来る。
【００４１】
図９は、テレビ放送の番組（図９（ａ）と、携帯電話に文字ニュースの番組時刻表（図９（ｂ））の図、図１０は、その文字ニュースを更新する際の制御データのテーブルＴの図、図１１は、その文字ニュースについてのイベント表示の１例である。  
図９（ｂ）の番組時刻表では、文字ニュースは、日本語と英語でヘッドラインニュース等が３０分置きに更新されることが示されている。
【００４２】
図１０は、その番組に対応するイベント表示であり、文字ニュースのサービスには、字幕サーバが使用され、スイッチャ「ＳＷ＃３」が文字ニュースを送信するシステムにおける機器間の接続を行う。即ち、図１には記載されていない字幕サーバの出力「ＣＳｏ」が、図１には記載されていない字幕送出装置の入力「ＤＴ＃Ｍｉ」に接続されることが「ＣＮ：ＤＴ＃Ｍｉ＞ＣＳｏ」の様に記載され、更に、字幕送出装置の出力「ＤＴ＃Ｍｏ」は、図１には記載されていない携帯電話の文字ニュースサービスを行うサーバ「ＮＳ」に接続されることが「ＣＮ：ＤＴ＃Ｍｏ＞ＮＳ」と記載されている。
【００４３】
そして、１０：００にはコンテンツとして、字幕サーバＣＳからヘッドラインニュース日本語「ＨＮ１０」と英語「ＥＨＮ１０」とが字幕サーバＣＳから字幕送出装置「ＤＴ＃Ｍ」出力されることが分かる。
【００４４】
そして、図１０の制御データのテーブルＴ、又は図１１のイベント表示を詳細に判読すると、「１０：３０」に更新されて居るニュースは、コンテンツの名称が日本語では「ＪＨＮ１０Ｒ」だが、英語では「ＥＨＮ１０」のままで変わらないので、英語文字ニュースが実際には１時間置きに更新されている事もイベント表示から分かる。
【００４５】
ＡＰＣイベント表示装置５は、周辺機器６としてスイッチャ（およびそのＲＴＰ３）がサービスメディア毎に対応して準備されるので、ＳＰＣ２が送信する制御信号の送信先の周辺機器６のスイッチャ（＃３〜＃Ｈ）の記述からそのサービスメディアが分かる。また、制御データのテーブルＴには、番組欄があるのでその番組から各制御信号が係わるサービスメディアを判断してサービスメディア毎にイベント表示を編集するようにしても良い。
【００４６】
この様に本発明のイベント表示装置は、放送局が直接放送して提供する番組素材だけでなく、その番組素材を応用して提供する各種サービスメディアに対するイベント表示をすることも可能である。そして、放送局全体の提供情報のイベントを把握することも可能である。
【図面の簡単な説明】
【００４７】
【図１】本発明の実施例に係るＡＰＣイベント表示装置を用いるＡＰＣの構成図。
【図２】ＡＰＣイベント表示装置の機能構成を示すブロック図。
【図３】番組時刻表の一例。
【図４】各周辺機器を接続する制御データのテーブルの例。
【図５】番組時刻表と動作制御を編集したイベント情報の表示例。
【図６】本発明の実施例に係るＡＰＣイベント表示装置の動作手順の概要を示すフローチャート。
【図７】ＡＰＣイベント表示装置をサーバとクライアントで構成する場合の構成図。
【図８】複数のサービスメディアに対応するＡＰＣイベント表示装置の適用例を示す機能系統図
【図９】テレビ放送の番組と、携帯電話の文字ニュースの番組時刻表の図。
【図１０】携帯電話の文字ニュースを更新する際の制御データのテーブルＴの図。
【図１１】文字ニュースについてのイベント表示の１例。
【図１２】従来のイベント表示を行うＡＰＣの構成例。
【符号の説明】
【００４８】
１  ＡＰＣ（自動番組送出制御設備）
２  ＳＣＰ（Ｓｃｈｅｄｕｌｅ  Ｃｏｎｔｒｏｌ  Ｐｒｏｃｅｓｓｏｒ）
３  ＬＡＮ
４  ＲＴＰ（Ｒｅａｌ  Ｔｉｍｅ  Ｐｒｏｃｅｓｓｏｒ）
５  ＡＰＣイベント表示装置
５１  通信Ｉ／Ｆ（インタフェース）
５２  ＣＰＵ（制御処理部）
５３  記憶部
５４  入力部
５５  ディスプレイ
６  周辺機器
７  番組信号伝送網
【図１】
0004417887.tif 000002
【図２】
0004417887.tif 000003
【図３】
0004417887.tif 000004
【図４】
0004417887.tif 000005
【図５】
0004417887.tif 000006
【図６】
0004417887.tif 000007
【図７】
0004417887.tif 000008
【図８】
0004417887.tif 000009
【図９】
0004417887.tif 000010
【図１０】
0004417887.tif 000011
【図１１】
0004417887.tif 000012
【図１２】
0004417887.tif 000013